(57)【要約】【課題】コンタクトの配置間隔の短縮化が行われても、フラックスが信号接点部に付着することを防止可能な電気コネクタを提供する。【解決手段】ハウジング１１は、差込口１５奥側から差込口１５手前側に延設され、且つ、下ビームの配列方向に延設された平板状の、下ビームが載置される載置面Ｓａを有する下受部１１ａを備える。また、ハウジング１１は、載置面Ｓａに設けられ、下ビームを保持するための溝Ｚａを形成する、差込口１５奥側から差込口１５手前側に延設されたリブ部１１ｂを備える。差込口１５手前側に位置するリブ部１１ｂの端部は、差込口１５手前側に位置する下受部１１ａの端部よりも、差込口１５奥側に配置されている。【選択図】図１
2016076347.tif 000002
【特許請求の範囲】
【請求項１】
板状の信号伝達部材を差し込み可能な差込口が形成された絶縁性のハウジングと、
前記ハウジングに差し込まれた前記信号伝達部材の一方面にある信号端子に接触可能な信号接点部が設けられた、前記差込口奥側から前記差込口手前側に延設された上ビーム、および、前記差込口奥側から前記差込口手前側に延設され、前記上ビームと共に前記信号伝達部材を挟持できるよう前記上ビームに対向して配置されており、前記差込口手前側の端部に基板と接続可能な接続部が全面露出した状態で設けられている下ビームを有する、導電性の複数のコンタクトと、を備え、
前記ハウジングは、
前記差込口奥側から前記差込口手前側に延設され、且つ、前記下ビームの配列方向に延設された平板状の、前記下ビームが載置される載置面を有する下受部と、
前記載置面に設けられ、前記下ビームを保持するための溝を形成する、前記差込口奥側から前記差込口手前側に延設されたリブ部と、を備え、
前記差込口手前側に位置する前記リブ部の端部は、前記差込口手前側に位置する前記下受部の端部よりも、前記差込口奥側に配置されている、
ことを特徴とする電気コネクタ。
【請求項２】
前記下ビームは、
前記載置面に載置された、前記差込口奥側から前記差込口手前側に延設された下長ビームと、
前記下長ビームの前記差込口手前側の端部と前記接続部との間に配置され、前記載置面に対して隙間を形成するために、前記載置面に対向する面が前記上ビームに向かって屈曲した屈曲部と、を備え、
前記差込口手前側に位置する前記リブ部の端部は、前記下長ビームと前記屈曲部との接続位置よりも、前記差込口奥側に配置されている、
ことを特徴とする請求項１に記載の電気コネクタ。
【請求項３】
前記屈曲部は、前記差込口手前側に位置する前記下受部の端部から離れて前記接続部が配置されるよう、前記差込口手前側に位置する前記下受部の端部より先まで延設されている、
ことを特徴とする請求項２に記載の電気コネクタ。
【請求項４】
前記コンタクトは、前記差込口手前側から前記差込口奥側に移動するようにして、前記差込口から前記ハウジングに挿入され、前記下ビームが、前記リブ部で形成された溝に保持されている第１のコンタクトであり、
前記ハウジングに差し込まれた前記信号伝達部材の一方面にある信号端子に接触可能な信号接点部が設けられた、前記差込口奥側から前記差込口手前側に延設された上ビーム、および、前記差込口奥側から前記差込口手前側に延設され、前記上ビームと共に前記信号伝達部材を挟持できるよう前記上ビームに対向して配置されており、前記差込口奥側の端部に基板と接続可能な接続部が設けられている下ビームを有し、且つ、前記差込口とは逆側の挿入口から、前記差込口奥側から前記差込口手前側に移動するようにして前記ハウジングに挿入され、前記下ビームが、前記リブ部で形成された溝に保持されている第２のコンタクトを、更に備え、
前記差込口手前側に位置する前記リブ部の端部は、前記第２のコンタクトの前記下ビームの端部よりも、前記差込口奥側に配置されている、
ことを特徴とする請求項１に記載の電気コネクタ。
【請求項５】
前記ハウジングに対して移動可能に取り付けられ、前記コンタクトに当接可能に構成された当接部を有し、その当接部の移動による前記コンタクトへの押圧によって、前記信号接点部と前記信号端子との接触を行うアクチュエータを備える、
ことを特徴とする請求項１に記載の電気コネクタ。
【請求項６】
前記コンタクトは、前記上ビームと下ビームとを連結する連結部を備えた略Ｈ字状の外形であり、
前記当接部は、カムが形成されたカム部を有し、
前記カム部は、前記連結部を境界にして前記差込口奥側にある、前記上ビームと前記下ビームとに挟まれており、
前記アクチュエータは、前記カム部の回動によって、前記差込口奥側の前記上ビームを前記カム部で押し上げることで、前記連結部を境界にして前記差込口手前側の前記上ビームを揺動させて、前記信号接点部と前記信号端子との接触を行う、
ことを特徴とする請求項５に記載の電気コネクタ。
【発明の詳細な説明】
【技術分野】
【０００１】
本発明は、フレキシブル印刷配線基板（ＦＰＣ：Flexible printed circuits）やフレキシブル平板状ケーブル（ＦＦＣ：Flexible flat cable）等の板状の信号伝達部材に設けられた信号端子を、他の電気部品に電気的に連結するために、信号伝達部材の信号端子に接触して接続されるコンタクトを有し、信号伝達部材を差し込むタイプの、配線基板等に実装される電気コネクタに関する。
【背景技術】
【０００２】
各種の電子機器に実装される比較的小型なＦＰＣやＦＦＣ等の信号伝達部材と、各種の電気部品が実装される配線基板との電気的連結は、該配線基板に電気的接続がなされて固定されている（実装されている）電気コネクタが用いられて行われることが多い。
【０００３】
該配線基板に実装される電気コネクタにおいては、該電気コネクタを構成する、導電性材料からなるコンタクトの接続部（電気コネクタが実装される配線基板の電極に例えばハンダ付けされる部分）とその接続部に対向する絶縁性材料からなるハウジング壁面との間隔、および、接続部から延びる下ビームとその下ビームに対向するハウジング壁面との間隔が狭い場合、配線基板と接続部のリフローハンダ付けの際に、ハンダ或いはフラックスが、接続部とハウジング壁面との間を伝い、さらには、下ビームとハウジング壁面との間を伝うことがある。
【０００４】
そして、ハンダ或いはフラックスが、下ビームおよびその下ビームに対向して配置される上ビームを連結する連結部と、その連結部に対向するハウジング壁面との間を伝い、上ビームと、その上ビームに対向するハウジング壁面との間を伝い、上ビームに設けられた信号接点部（信号伝達部材の信号端子と接触可能な部分）に付着することがある。
【０００５】
ここで、フラックスとは、ハンダより先に溶解し、溶けたハンダの表面および金属部分の酸化物、汚れを除去する、松ヤニ等の植物性天然樹脂を含有するものである。
【０００６】
フラックスが信号接点部に付着すると、信号接点部と信号伝達部材の信号端子との導通に支障が生じ得る。これを防止可能な電気コネクタとして、例えば、特許文献１に記載のコネクタが知られている。
【０００７】
特許文献１に記載されている電気コネクタは、接続部とその接続部に対向するハウジング壁面との間隔が、下ビームとその下ビームに対向するハウジング壁面との間隔よりも、広い（例えば、特許文献１の図１１参照）。これにより、ハンダ或いはフラックスが接続部とハウジング壁面との間を伝うことを、即ち、接続部とハウジング壁面との間に毛細管現象が発生することを、防止している。
【０００８】
なお、特許文献１に記載されている電気コネクタでは、接続部とハウジング壁面との間にハンダ或いはフラックスが伝わないので、下ビームとハウジング壁面との間にも、ハンダ或いはフラックスが伝うことがない。このため、特許文献１に記載されている電気コネクタは、フラックスが信号接点部に付着することを防止可能である。
【先行技術文献】
【特許文献】
【０００９】
【特許文献１】特開２００９−８１０７３号公報
【発明の概要】
【発明が解決しようとする課題】
【００１０】
特許文献１に記載されている電気コネクタ等では、電気部品全体の小型化の要請に伴い、上ビームおよび下ビームを有するコンタクトの配置間隔の短縮化（狭ピッチ化）が進められている。これに伴って、接続部とその接続部に対向するハウジング壁面との間隔、および、コンタクトとそのコンタクトに対向するハウジング壁面との間隔も、短縮化が進められている。
【００１１】
上述の短縮化が行われた場合、特許文献１に記載されている電気コネクタでは、接続部とハウジング壁面との間隔、および、コンタクトとハウジング壁面との間隔が、ハンダ或いはフラックスが伝い得る狭さになる。即ち、毛細管現象が発生し得る狭さになる。このため、特許文献１に記載されている電気コネクタでは、上述の短縮化が行われた場合、フラックスが信号接点部に付着することを防止できない可能性があるという問題がある。
【００１２】
本発明は、上記実情に鑑みてなされたものであり、コンタクトの配置間隔の短縮化が行われても、フラックスが信号接点部に付着することを防止可能にすることを目的とする。
【課題を解決するための手段】
【００１３】
上記目的を達成するために、この発明に係る電気コネクタは、
板状の信号伝達部材を差し込み可能な差込口が形成された絶縁性のハウジングと、
ハウジングに差し込まれた信号伝達部材の一方面にある信号端子に接触可能な信号接点部が設けられた、差込口奥側から差込口手前側に延設された上ビーム、および、差込口奥側から差込口手前側に延設され、上ビームと共に信号伝達部材を挟持できるよう上ビームに対向して配置されており、差込口手前側の端部に基板と接続可能な接続部が全面露出した状態で設けられている下ビームを有する、導電性の複数のコンタクトと、を備え、
ハウジングは、
差込口奥側から差込口手前側に延設され、且つ、下ビームの配列方向に延設された平板状の、下ビームが載置される載置面を有する下受部と、
載置面に設けられ、下ビームを保持するための溝を形成する、差込口奥側から差込口手前側に延設されたリブ部と、を備え、
差込口手前側に位置するリブ部の端部は、差込口手前側に位置する下受部の端部よりも、差込口奥側に配置されている。
【００１４】
また、下ビームは、
載置面に載置された、差込口奥側から差込口手前側に延設された下長ビームと、
下長ビームの差込口手前側の端部と接続部との間に配置され、載置面に対して隙間を形成するために、載置面に対向する面が上ビームに向かって屈曲した屈曲部と、を備え、
差込口手前側に位置するリブ部の端部は、下長ビームと屈曲部との接続位置よりも、差込口奥側に配置されている、
ものでもよい。
【００１５】
また、屈曲部は、差込口手前側に位置する下受部の端部から離れて接続部が配置されるよう、差込口手前側に位置する下受部の端部より先まで延設されている、
ものでもよい。
【００１６】
また、コンタクトは、差込口手前側から差込口奥側に移動するようにして、差込口からハウジングに挿入され、下ビームが、リブ部で形成された溝に保持されている第１のコンタクトであり、
ハウジングに差し込まれた信号伝達部材の一方面にある信号端子に接触可能な信号接点部が設けられた、差込口奥側から差込口手前側に延設された上ビーム、および、差込口奥側から差込口手前側に延設され、上ビームと共に信号伝達部材を挟持できるよう上ビームに対向して配置されており、差込口奥側の端部に基板と接続可能な接続部が設けられている下ビームを有し、且つ、差込口とは逆側の挿入口から、差込口奥側から差込口手前側に移動するようにしてハウジングに挿入され、下ビームが、リブ部で形成された溝に保持されている第２のコンタクトを、更に備え、
差込口手前側に位置するリブ部の端部は、第２のコンタクトの下ビームの端部よりも、差込口奥側に配置されている、
ものでもよい。
【００１７】
また、ハウジングに対して移動可能に取り付けられ、コンタクトに当接可能に構成された当接部を有し、その当接部の移動によるコンタクトへの押圧によって、信号接点部と信号端子との接触を行うアクチュエータを備える、
ものでもよい。
【００１８】
また、コンタクトは、上ビームと下ビームとを連結する連結部を備えた略Ｈ字状の外形であり、
当接部は、カムが形成されたカム部を有し、
カム部は、連結部を境界にして差込口奥側にある、上ビームと下ビームとに挟まれており、
アクチュエータは、カム部の回動によって、差込口奥側の上ビームをカム部で押し上げることで、連結部を境界にして差込口手前側の上ビームを揺動させて、信号接点部と信号端子との接触を行う、
ものでもよい。
【発明の効果】
【００１９】
本発明によれば、差込口手前側に位置する、下ビームを保持するための溝を形成するリブ部の端部は、差込口手前側に位置する、下ビームが載置される載置面を有する下受部の端部よりも、差込口奥側に配置されている。このため、例えば基板の電極に接続部がハンダ付けされた際に、ハンダ或いはフラックスが、接続部を伝い、下ビームと下受部の載置面との間を伝ったとしても、それらが、下ビームとリブ部との間に伝うことを、防止可能である。即ち、下ビームとリブ部との間に毛細管現象が発生することを、防止可能である。
【００２０】
従って、本発明によれば、上ビームの信号接点部にフラックスが付着することを防止可能であり、コンタクトの配置方向において、部材同士の間隔を空ける必要がないので、コンタクトの配置間隔の短縮化が行われても、フラックスの付着防止を実現可能である。
【図面の簡単な説明】
【００２１】
【図１】本発明の実施の形態に係る電気コネクタ、および信号伝達部材を差込口から見た斜視図である。
【図２】本発明の電気コネクタの平面図である。
【図３】図２に示す電気コネクタのＡ−Ａ線での断面図である。
【図４】図２に示す電気コネクタのＢ−Ｂ線での断面図である。
【図５】図２に示す電気コネクタのＣ−Ｃ線での断面図である。
【図６】（ａ）は、信号伝達部材が差込口に差し込まれた状態の電気コネクタの平面図であり、（ｂ）は、（ａ）に示す電気コネクタのＤ−Ｄ線での断面図であり、（ｃ）は、（ａ）に示す電気コネクタのＥ−Ｅ線での断面図である。
【図７】図２に示す電気コネクタのＦ−Ｆ線での断面図である。
【図８】図２に示す電気コネクタのＧ−Ｇ線での断面図である。
【発明を実施するための形態】
【００２２】
以下、本発明の実施の形態に係る電気コネクタ１０を説明する。なお、各図において、電気コネクタ１０の短手方向をｘ軸方向、長手方向をｙ軸方向、厚さ方向をｚ軸方向とする直交座標系を設定し、適宜参照する。また、各軸の矢印方向を＋（プラス）で表し、その反対方向を−（マイナス）で表す。
【００２３】
図１，２に示すように、電気コネクタ１０は、略矩形状のハウジング１１と、ハウジング１１に配置された複数のコンタクト１２と、ハウジング１１に回動可能に取り付けられたアクチュエータ１３と、ハウジング１１の長手方向の両側端に夫々配置されたロック部１４と、を備える。
【００２４】
ハウジング１１は、樹脂等の絶縁材から構成され、例えば電子機器等の配線基板に配置される。ハウジング１１には、板状の信号伝達部材の一例であるＦＰＣ５０を差し込み可能な差込口１５が形成されている。差込口１５は、手前側の開口が広く、奥側の開口が狭い形状である。
【００２５】
また、ハウジング１１は、差込口１５奥側から差込口１５手前側に延設され、且つ、コンタクト１２の配列方向に延設された平板状の、コンタクト１２が載置される載置面Ｓａを有する下受部１１ａを備える。
【００２６】
また、ハウジング１１は、下受部１１ａの載置面Ｓａに設けられ、複数のコンタクト１２を保持するための対応する凹み状の溝Ｚａを形成する、差込口１５奥側から差込口１５手前側に延設されたリブ部１１ｂを備える。
【００２７】
ハウジング１１の差込口１５に差し込まれるＦＰＣ５０は、配線に接続された電極５１を有する。電極５１は、ＦＰＣ５０の一端側に設けられた第１の電極５１ａと、ＦＰＣ５０の一端側から離れて設けられた第２の電極５１ｂと、から構成されている。また、ＦＰＣ５０には、ロック部１４に係止される切り欠き部５２が形成されている。
【００２８】
コンタクト１２は、板状の金属等から形成される導電体であって、弾性を有している。コンタクト１２は、ハウジング１１に差し込まれたＦＰＣ５０の、第１の電極５１ａに対応する位置に配置されている第１のコンタクト１２ａを備える。また、コンタクト１２は、ハウジング１１に差し込まれたＦＰＣ５０の、第２の電極５１ｂに対応する位置に配置されている第２のコンタクト１２ｂを備える。
【００２９】
第１のコンタクト１２ａは、電気コネクタ１０の組み立ての際（アクチュエータ１３がハウジング１１に取り付けられる前に）、差込口１５手前側から差込口１５奥側に移動するようにして、差込口１５からハウジング１１に挿入される。
【００３０】
一方、第２のコンタクト１２ｂは、電気コネクタ１０の組み立ての際（アクチュエータ１３がハウジング１１に取り付けられる前に）、差込口１５とは逆側の挿入口１６から、差込口１５奥側から差込口１５手前側に移動するようにしてハウジング１１に挿入される。
【００３１】
このとき、第１のコンタクト１２ａおよび第２のコンタクト１２ｂが、ハウジング１１の溝Ｚａ等に挿入されることで、ハウジング１１に対して固定された状態になる。第１のコンタクト１２ａおよび第２のコンタクト１２ｂは、ハウジング１１の長手方向（ｙ軸方向）に交互に配置されている。
【００３２】
第１のコンタクト１２ａは、図３（図２に示すＡ−Ａ線での断面図）に示すように、一対のビーム１２ａ１，１２ａ２（上ビーム１２ａ１、上ビーム１２ａ１よりも長い下ビーム１２ａ２）を備える。
【００３３】
上ビーム１２ａ１および下ビーム１２ａ２は、差込口１５奥側から差込口１５手前側に延設されている。上ビーム１２ａ１は、差込口１５手前側の端部に、第１の電極５１ａに接触可能に配置された第１の信号接点部１２ａａを備える。
【００３４】
下ビーム１２ａ２は、上ビーム１２ａ１と共に、ハウジング１１に差し込まれたＦＰＣ５０を挟持できるよう上ビーム１２ａ１に対向して配置されている。下ビーム１２ａ２は、差込口１５手前側の端部に、例えば電子機器等の配線基板の電極にハンダ付けされる（電極に接続可能な）第１の接続部１２ａｂを備える。第１の接続部１２ａｂは、接続面を除いて全面露出した状態である。
【００３５】
また、下ビーム１２ａ２は、下受部１１ａの載置面Ｓａに載置された、差込口１５奥側から差込口１５手前側に延設された下長ビーム１２ａ２＿ａを備える。下長ビーム１２ａ２＿ａは、リブ部１１ｂで形成された溝Ｚａに保持されている。
【００３６】
また、下ビーム１２ａ２は、下長ビーム１２ａ２＿ａの差込口１５手前側の端部と第１の接続部１２ａｂとの間に配置され、載置面Ｓａに対して隙間を形成するために、載置面Ｓａに対向する面が上ビーム１２ａ１に向かって屈曲した屈曲部１２ａ２＿ｂを備える。
【００３７】
上述した第１のコンタクト１２ａは、上ビーム１２ａ１と下ビーム１２ａ２とを接続する支柱部１２ａ３を備える。上ビーム１２ａ１と下ビーム１２ａ２とが支柱部１２ａ３で接続されることで、第１のコンタクト１２ａの外形は、略Ｈ字状を成している。
【００３８】
支柱部１２ａ３を境界として第１のコンタクト１２ａの一方側にある一対のビーム（上ビーム１２ａ１および下ビーム１２ａ２）は、ハウジング１１の差込口１５の内周に配置されており、第１の信号接点部１２ａａの一部が突出した状態で露出している。
【００３９】
また、支柱部１２ａ３を境界として第１のコンタクト１２ａの他方側にある一対のビーム（上ビーム１２ａ１および下ビーム１２ａ２）は、ハウジング１１の挿入口１６側に配置されている。そして、上ビーム１２ａ１が露出している。
【００４０】
第１のコンタクト１２ａの他方側にある一対のビーム（上ビーム１２ａ１および下ビーム１２ａ２）の間には、後述するアクチュエータ１３の、断面が楕円形状をなすカム部１３ｃが位置している。
【００４１】
第１のコンタクト１２ａの他方側にある一対のビームで、アクチュエータ１３のカム部１３ｃを保持することで、アクチュエータ１３は、ハウジング１１に対して回動可能である。このため、カム部１３ｃは、アクチュエータ１３の回動に合わせて軸心１３ｄ周りに回転可能であり、また、第１のコンタクト１２ａの他方側にある上ビーム１２ａ１は、カム部１３ｃの直上位置に設けられたスリット１３ｅに挿通されている。
【００４２】
続いて図４に示されるように、第２のコンタクト１２ｂは、一対のビーム１２ｂ１，１２ｂ２（上ビーム１２ｂ１、上ビーム１２ｂ１よりも長い下ビーム１２ｂ２）を備える。
【００４３】
上ビーム１２ｂ１および下ビーム１２ｂ２は、差込口１５奥側から差込口１５手前側に延設されている。上ビーム１２ｂ１は、差込口１５手前側の端部に、第２の電極５１ｂに接触可能に配置された第２の信号接点部１２ｂａを備える。
【００４４】
下ビーム１２ｂ２は、上ビーム１２ｂ１と共に、ハウジング１１に差し込まれたＦＰＣ５０を挟持できるよう上ビーム１２ｂ１に対向して配置されている。下ビーム１２ｂ２は、リブ部１１ｂで形成された溝Ｚａに保持されている。
【００４５】
また、下ビーム１２ｂ２は、ハウジング１１の挿入口１６側の端部に（差込口１５奥側の端部に）、例えば電子機器等の配線基板の電極にハンダ付けされる第２の接続部１２ｂｂを備える。
【００４６】
上述した第２のコンタクト１２ｂは、上ビーム１２ｂ１と下ビーム１２ｂ２とを接続する支柱部１２ｂ３を備える。上ビーム１２ｂ１と下ビーム１２ｂ２とが支柱部１２ｂ３で接続されることで、第２のコンタクト１２ｂの外形は、略Ｈ字状を成している。
【００４７】
支柱部１２ｂ３を境界として第２のコンタクト１２ｂの一方側にある一対のビーム（上ビーム１２ｂ１および下ビーム１２ｂ２）は、ハウジング１１の差込口１５の内周に配置されており、第２の信号接点部１２ｂａの一部が突出した状態で露出している。
【００４８】
また、支柱部１２ｂ３を境界として第２のコンタクト１２ｂの他方側にある一対のビーム（上ビーム１２ｂ１および下ビーム１２ｂ２）は、ハウジング１１の挿入口１６側に配置されている。そして、上ビーム１２ｂ１が露出している。この一対のビーム（上ビーム１２ｂ１および下ビーム１２ｂ２）の間には、第１のコンタクト１２ａと同様に、アクチュエータ１３のカム部１３ｃが配置されている。これにより、アクチュエータ１３のカム部１３ｃは、第２のコンタクト１２ｂの他方側にある一対のビームでも保持されている。
【００４９】
アクチュエータ１３は、例えば、図１，２に示すように、ハウジング１１の挿入口１６側（差込口１５側とは反対側）に配置されている。アクチュエータ１３は、ハウジング１１の長手方向（ｙ軸方向）に沿って延在する操作部１３ａを備える。また、アクチュエータ１３は、図２に示すように、操作部１３ａの長手方向の両端部に配置された当接部１３ｂを備える。操作部１３ａの長手方向は、ハウジング１１の長手方向に略沿うように配置されている。
【００５０】
当接部１３ｂは、ハウジング１１の側端部に設けられた窪みに収容される。これにより、アクチュエータ１３が、ハウジング１１に取り付けられ、また、該窪みは、アクチュエータ１３に予期せぬ力が加わった時にハウジング１１に対しての抜け止めとして機能する。
【００５１】
また、アクチュエータ１３には、図３，４に示すように、当接部１３ｂからスリット１３ｅを介して一体的に延び、第１のコンタクト１２ａおよび第２のコンタクト１２ｂを作動させ、その断面が直交する短辺と長辺とからなる複数のカム部１３ｃが一体的に設けられる。カム部１３ｃは、前述の通り、第１のコンタクト１２ａの他方側にある一対のビーム（上ビーム１２ａ１および下ビーム１２ａ２）、および第２のコンタクト１２ｂの他方側にある一対のビーム（上ビーム１２ｂ１および下ビーム１２ｂ２）に保持される。
【００５２】
また、カム部１３ｃは、ロック部１４にも接触可能に構成されている。ロック部１４は、第１のコンタクト１２ａ，第２のコンタクト１２ｂと同様、図５（図２に示すＣ−Ｃ線での断面図）に示すように、一対のビーム１４ａ，１４ｂ（上ビーム１４ａ、上ビーム１４ａよりも長い下ビーム１４ｂ）を備える。
【００５３】
また、ロック部１４は、上ビーム１４ａと下ビーム１４ｂとを接続する支柱部１４ｃを備える。上ビーム１４ａと下ビーム１４ｂとが支柱部１４ｃで接続されることで、ロック部１４の外形は、第１のコンタクト１２ａ，第２のコンタクト１２ｂと同様、略Ｈ字状を成している。
【００５４】
支柱部１４ｃを境界としてロック部１４の一方側（差込口１５側）にある一対のビームは、ハウジング１１の差込口１５の内周に配置されている。ロック部１４の一方側にある一対のビームのうち、上ビーム１４ａの端部には、ＦＰＣ５０の切り欠き部５２に係止するための突起である爪部１４ｄが設けられている。
【００５５】
また、支柱部１４ｃを境界としてロック部１４の他方側（挿入口１６側）にある一対のビーム（上ビーム１４ａおよび下ビーム１４ｂ）の間には、アクチュエータ１３のカム部１３ｃが配置されている。これにより、カム部１３ｃは、ロック部１４の他方側にある一対のビームでも保持されている。
【００５６】
上述した各部材からなる電気コネクタ１０の接続動作について、説明する。配線基板の電極に少なくとも第１の接続部１２ａｂおよび第２の接続部１２ｂｂが半田付けにより既に接続された電気コネクタ１０において、アクチュエータ１３が、例えば、図３〜図５に示すように、開放状態のとき（アクチュエータ１３がＦＰＣ５０の差し込み方向に対して略垂直な状態のとき）、第１のコンタクト１２ａ、第２のコンタクト１２ｂ、およびロック部１４の各一対のビームは、カム部１３ｃの断面上の短辺を形成する２点を挟むような状態である。
【００５７】
これにより、第１のコンタクト１２ａ、第２のコンタクト１２ｂ、およびロック部１４の各一対のビームの間隔が、アクチュエータ１３がロック状態のときよりも広い（アクチュエータ１３がＦＰＣ５０の差し込み方向に対して略水平な状態のときよりも広い）。このとき、第１のコンタクト１２ａの一方側にある一対のビームの間隔、および、第２のコンタクト１２ｂの一方側にある一対のビームの間隔も、アクチュエータ１３がロック状態のときよりも広い。
【００５８】
このため、ＦＰＣ５０に対してコンタクト１２の接触圧力が掛かっていない、あるいは微少に掛かっている状態になるので、ユーザは、ハウジング１１の差込口１５にＦＰＣ５０を差し込んで、ＦＰＣ５０をハウジング１１に収容することができる（＋ｘ方向に移動させることができる）。
【００５９】
開放状態のアクチュエータ１３を、操作者が回動操作すると、アクチュエータ１３は、図６（ａ）〜図６（ｃ）に示すように、ＦＰＣ５０の差し込み方向に対して略水平な状態、即ち、ロック状態になる。アクチュエータ１３が開放状態からロック状態に回動操作されている最中、アクチュエータ１３のカム部１３ｃは、軸心１３ｄを中心に回転する。
【００６０】
アクチュエータ１３がロック状態のとき、図６（ｂ）（図６（ａ）に示すＤ−Ｄ線での断面図）に示すように、第１のコンタクト１２ａの他方側にある一対のビーム（上ビーム１２ａ１および下ビーム１２ａ２）は、カム部１３ｃの断面上の長辺を形成する２点を挟む状態である。これにより、第１のコンタクト１２ａの他方側にある上ビーム１２ａ１が押し上げられる。
【００６１】
同様に、アクチュエータ１３がロック状態のとき、図６（ｃ）（図６（ａ）に示すＥ−Ｅ線での断面図）に示すように、第２のコンタクト１２ｂの他方側にある一対のビーム（上ビーム１２ｂ１および下ビーム１２ｂ２）は、カム部１３ｃの断面上の長辺を形成する２点を挟む状態である。これにより、第２のコンタクト１２ｂの他方側にある上ビーム１２ｂ１が押し上げられる。
【００６２】
よって、第１のコンタクト１２ａの一方側にある上ビーム１２ａ１、および、第２のコンタクト１２ｂの一方側にある上ビーム１２ｂ１が揺動する。このとき、第１のコンタクト１２ａの一方側にある一対のビームの間隔、および、第２のコンタクト１２ｂの一方側にある一対のビームの間隔は、アクチュエータ１３が開放状態のときよりも狭い。従って、第１の信号接点部１２ａａおよび第１の電極５１ａと、第２の信号接点部１２ｂａおよび第２の電極５１ｂとが、接触状態になる（ＦＰＣ５０に対してコンタクト１２の接触圧が掛かった状態となる）。
【００６３】
また、アクチュエータ１３がロック状態になると、ロック部１４の他方側にある一対のビーム（上ビーム１４ａおよび下ビーム１４ｂ）も、カム部１３ｃの断面上の長辺を形成する２点を挟む状態になる。
【００６４】
よって、ロック部１４の一方側にある上ビーム１４ａが揺動する。このとき、ロック部１４の一方側にある一対のビーム（上ビーム１４ａおよび下ビーム１４ｂ）の間隔は、アクチュエータ１３が開放状態のときよりも狭い。このため、ロック部１４の一方側にある上ビーム１４ａに設けられた爪部１４ｄが切り欠き部５２に係止される。従って、ＦＰＣ５０がハウジング１１に正規の位置に収容された状態になり、ＦＰＣ５０の抜去方向となる−ｘ方向の移動が規制され、ハウジング１１に対して収容が完了し、ＦＰＣ５０の第１の電極５１ａおよび第２の電極５１ｂと配線基板の夫々に対応する電極とが接続された状態になる。
【００６５】
上述した電気コネクタ１０における本発明の作用について、説明する。図７（図２に示すＦ−Ｆ線での断面図）および図８（図２に示すＧ−Ｇ線での断面図）に示すように、差込口１５手前側に位置する下受部１１ａの端部１１ａａから第１の接続部１２ａｂが離れて配置されるよう、屈曲部１２ａ２＿ｂは、下受部１１ａの端部１１ａａより先まで延設されている。
【００６６】
よって、第１の接続部１２ａｂを、可能な限り、下受部１１ａの端部１１ａａから離して配置できる。また、第１の接続部１２ａｂを、全面露出した状態にできる。
【００６７】
これにより、第１の接続部１２ａｂが例えば配線基板の電極にハンダ付けされた際、ハンダ或いはフラックスが、下長ビーム１２ａ２＿ａと下受部１１ａの載置面Ｓａとの間に到達することを防止可能である。このため、ハンダ或いはフラックスが、下長ビーム１２ａ２＿ａとリブ部１１ｂの内壁面との間に伝うことを防止可能である。従って、フラックスが、上ビーム１２ａ１の第１の信号接点部１２ａａに付着することを防止可能である。
【００６８】
なお、第２の接続部１２ｂｂも、第１の接続部１２ａｂと同様、ハウジング１１の挿入口１６側の端部１１ｃから離れて配置されている。また、第２の接続部１２ｂｂも、全面露出した状態である。よって、第２の接続部１２ｂｂが例えば配線基板の電極にハンダ付けされた際、ハンダ或いはフラックスが、下ビーム１２ｂ２とリブ部１１ｂの内壁面との間に伝うことを防止可能である。従って、フラックスが、上ビーム１２ｂ１の第２の信号接点部１２ｂａに付着することを防止可能である。
【００６９】
また、電気コネクタ１０において、差込口１５手前側に位置するリブ部１１ｂの端部１１ｂａは、図７に示すように、下長ビーム１２ａ２＿ａと屈曲部１２ａ２＿ｂとの接続位置Ｔａよりも、差込口１５奥側に配置されている。
【００７０】
ここで、接続位置Ｔａから先の部分（差込口１５手前側の部分）では、屈曲部１２ａ２＿ｂの、載置面Ｓａに対向する面が、上ビーム１２ａ１に向かって屈曲している。このため、屈曲部１２ａ２＿ｂと載置面Ｓａとの間隔が、下長ビーム１２ａ２＿ａと載置面Ｓａとの間隔に比べて、広くなる。更には、屈曲部１２ａ２＿ｂの全面が露出した状態になる。
【００７１】
これにより、第１の接続部１２ａｂが例えば配線基板の電極にハンダ付けされた際、第１の接続部１２ａｂに付着したハンダ或いはフラックスが、下長ビーム１２ａ２＿ａと下受部１１ａの載置面Ｓａとの間に到達することを防止可能である。よって、ハンダ或いはフラックスが、下長ビーム１２ａ２＿ａと載置面Ｓａとの間を伝うことを防止可能である。従って、フラックスが、上ビーム１２ａ１の第１の信号接点部１２ａａに付着することを防止可能である。
【００７２】
また、電気コネクタ１０において、下ビーム１２ａ２，１２ｂ２を保持するための溝Ｚａを形成するリブ部１１ｂは、下ビーム１２ａ２，１２ｂ２が載置される下受部１１ａの載置面Ｓａに設けられ、ハウジング１１と一体成形されている。
【００７３】
ここで、差込口１５手前側に位置するリブ部１１ｂの端部１１ｂａは、差込口１５手前側に位置する下受部１１ａの端部１１ａａよりも、差込口１５奥側に配置されている。このため、下長ビーム１２ａ２＿ａの、端部１１ｂａから露出した部分に対向するのは、載置面Ｓａだけである。
【００７４】
よって、第１の接続部１２ａｂが例えば配線基板の電極にハンダ付けされた際、ハンダ或いはフラックスが、下長ビーム１２ａ２＿ａと載置面Ｓａとの間を伝い、それらが、下長ビーム１２ａ２＿ａとリブ部１１ｂの内壁面との間に伝うことを抑えることができる。即ち、下長ビーム１２ａ２＿ａとリブ部１１ｂの内壁面との間で、毛細管現象が発生することを防止可能である。従って、ハンダ或いはフラックスが、上ビーム１２ａ１の第１の信号接点部１２ａａに付着することを防止可能である。
【００７５】
また、差込口１５手前側に位置するリブ部１１ｂの端部１１ｂａは、図８に示すように、第２のコンタクト１２ｂの下ビーム１２ｂ２の端部１２ｂ２＿ｓよりも、差込口１５奥側に配置されている。
【００７６】
ここで、リブ部１１ｂは、コンタクト１２ａ，１２ｂが配列された方向において、下ビーム１２ａ２，１２ｂ２のそれぞれの端部が適正な位置を保てる程度の保持性を有すればよい。このため、下ビーム１２ｂ２の端部１２ｂ２＿ｓが、リブ部１１ｂの端部１１ｂａから露出していてもよい。
【００７７】
このように、下ビーム１２ｂ２の端部１２ｂ２＿ｓが露出する程度にまで、リブ部１１ｂの端部１１ｂａを、差込口１５奥側に配置することができる。これにより、第１の接続部１２ａｂが例えば配線基板の電極にハンダ付けされた際、ハンダ或いはフラックスが、下ビーム１２ｂ２とリブ部１１ｂの内壁面との間に伝うことを防止する効果が、より顕著になる。
【００７８】
上述したように、本実施の形態の電気コネクタ１０では、差込口１５手前側に位置するリブ部１１ｂの端部１１ｂａは、差込口１５手前側に位置する下受部１１ａの端部１１ａａよりも、差込口１５奥側に配置されている。
【００７９】
このため、第１の接続部１２ａｂが例えば配線基板の電極にハンダ付けされた際、ハンダ或いはフラックスが、何らかの要因で、下長ビーム１２ａ２＿ａと下受部１１ａの載置面Ｓａとの間を伝ったとしても、それらが、下長ビーム１２ａ２＿ａとリブ部１１ｂの内壁面との間に伝うことを防止可能である。
【００８０】
従って、本実施の形態の電気コネクタ１０によれば、フラックスが、上ビーム１２ａ１の第１の信号接点部１２ａａに付着することを防止可能である。
【００８１】
また、本実施の形態の電気コネクタ１０によれば、第２の接続部１２ｂｂも、第１の接続部１２ａｂと同様、ハウジング１１の挿入口１６側の端部１１ｃから離れて配置されている。また、第２の接続部１２ｂｂも、全面露出した状態である。よって、第２の接続部１２ｂｂが例えば配線基板の電極にハンダ付けされた際、ハンダ或いはフラックスが、下ビーム１２ｂ２とリブ部１１ｂの内壁面との間に伝うことを防止可能である。従って、フラックスが、上ビーム１２ｂ１の第２の信号接点部１２ｂａに付着することを防止可能である。
【００８２】
また、本実施の形態の電気コネクタ１０によれば、コンタクト１２ａ，１２ｂの配置方向において、部材同士の間隔を空ける必要がない。このため、上述したフラックスの付着防止は、コンタクト１２ａ，１２ｂの配置間隔の短縮化が行われても、実現可能である。
【００８３】
また、本実施の形態の電気コネクタ１０では、下長ビーム１２ａ２＿ａとリブ部１１ｂの内壁面との間、および、下ビーム１２ｂ２とリブ部１１ｂの内壁面との間に、ハンダ或いはフラックスが伝うことを防止可能なので、下受部１１ａに、ハンダ或いはフラックスを排出するための貫通孔を設ける必要がない。よって、電気コネクタ１０が実装される配線基板に、配線が禁止される領域を設ける必要がない。従って、本実施の形態の電気コネクタ１０によれば、配線基板の有効利用が可能である。
【００８４】
以上、本発明の実施の形態を説明したが、この発明は上記の実施の形態に限定されず、種々の変形及び応用が可能である。
【００８５】
例えば、上述した実施の形態の電気コネクタ１０では、アクチュエータ１３は、ハウジング１１に対して回動するタイプであったが、これに限られるものではない。アクチュエータは、ハウジング１１に対してスライドするタイプのものでもよい。
【００８６】
この場合、アクチュエータは、差込口１５側から挿入口１６側に、および、挿入口１６側から差込口１５側に、スライド移動可能に、ハウジング１１に取り付けられている。
【００８７】
このアクチュエータは、差込口１５側に移動した場合、支柱部１２ａ３を境界として第１のコンタクト１２ａの一方側にある上ビーム１２ａ１、および、支柱部１２ｂ３を境界として第２のコンタクト１２ｂの一方側にある上ビーム１２ｂ１に当接し、それらを押圧する。
【００８８】
これにより、第１のコンタクト１２ａの一方側にある上ビーム１２ａ１、および、第２のコンタクト１２ｂの一方側にある上ビーム１２ｂ１が揺動する。このとき、第１のコンタクト１２ａの一方側にある一対のビームの間隔、および、第２のコンタクト１２ｂの一方側にある一対のビームの間隔は、アクチュエータが挿入口１６側に移動したときよりも狭い。従って、第１の信号接点部１２ａａおよび第１の電極５１ａと、第２の信号接点部１２ｂａおよび第２の電極５１ｂとが、接触状態になる。
【００８９】
一方、このアクチュエータは、挿入口１６側に移動した場合、支柱部１２ａ３を境界として第１のコンタクト１２ａの一方側にある上ビーム１２ａ１、および、支柱部１２ｂ３を境界として第２のコンタクト１２ｂの一方側にある上ビーム１２ｂ１に対し、当接を解除する。
【００９０】
これにより、第１のコンタクト１２ａの一方側にある上ビーム１２ａ１、および、第２のコンタクト１２ｂの一方側にある上ビーム１２ｂ１が押圧されていない状態に戻る。このとき、第１のコンタクト１２ａの一方側にある一対のビームの間隔、および、第２のコンタクト１２ｂの一方側にある一対のビームの間隔は、アクチュエータが差込口１５側に移動したときよりも広い。従って、第１の信号接点部１２ａａおよび第１の電極５１ａと、第２の信号接点部１２ｂａおよび第２の電極５１ｂとが、非接触状態になる（或いは、軽く接触する程度の状態になる）。
【００９１】
このように、電気コネクタ１０は、ハウジング１１に対してスライド移動可能なアクチュエータを、ハウジング１１に対して回動可能なアクチュエータ１３の代わりに備えていてもよい。
【００９２】
また、上述した実施の形態の電気コネクタ１０では、第２のコンタクト１２ｂの下ビーム１２ｂ２の端部１２ｂ２＿ｓが、リブ部１１ｂの端部１１ｂａから露出していたが、これに限られるものではない。例えば、下ビーム１２ｂ２の端部１２ｂ２＿ｓは、リブ部１１ｂの端部１１ｂａと同じ位置になるように配置してもよく、リブ部１１ｂの端部１１ｂａよりも差込口１５奥側に配置してもよい。
【００９３】
また、上述した実施の形態の電気コネクタ１０では、ロック部１４を備えていたが、これに限られるものではない。即ち、上述した実施の形態の電気コネクタ１０は、ロック部１４を備えなくてもよい。
【００９４】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲内及びそれと同等の発明の意義の範囲内で施される様々な変形が、本発明の範囲内とみなされる。
【符号の説明】
【００９５】
１０  電気コネクタ、１１  ハウジング、１１ａ  下受部、１１ａａ，１１ｂａ，１１ｃ，１２ｂ２＿ｓ  端部、１１ｂ  リブ部、１２  コンタクト、１２ａ  第１のコンタクト、１２ｂ  第２のコンタクト、１２ａ１，１２ｂ１，１４ａ  上ビーム、１２ａ２，１２ｂ２，１４ｂ  下ビーム、１２ａ２＿ａ  下長ビーム、１２ａ２＿ｂ  屈曲部、１２ａ３，１２ｂ３，１４ｃ  支柱部、１２ａａ  第１の信号接点部、１２ａｂ  第１の接続部、１２ｂａ  第２の信号接点部、１２ｂｂ  第２の接続部、１３  アクチュエータ、１３ａ  操作部、１３ｂ  当接部、１３ｃ  カム部、１３ｄ  軸心、１３ｅ  スリット、１４  ロック部、１４ｄ  爪部、１５  差込口、１６  挿入口、５０  ＦＰＣ、５１  電極、５１ａ  第１の電極、５１ｂ  第２の電極、５２  切り欠き部、Ｓａ  載置面、Ｔａ  接続位置、Ｚａ  溝。
【図１】
2016076347.tif 000003
【図２】
2016076347.tif 000004
【図３】
2016076347.tif 000005
【図４】
2016076347.tif 000006
【図５】
2016076347.tif 000007
【図６】
2016076347.tif 000008
【図７】
2016076347.tif 000009
【図８】
2016076347.tif 000010